(57)【要約】  本発明は、入力映像信号がアナログ映像信号であるのか、デジタル映像信号であるのかを自動認識し、入力映像信号を処理する映像信号処理装置およびその方法に関するものである。本発明に係る映像信号処理装置およびその方法は、入力信号がアナログ信号であるのか、デジタル信号であるのか把握できない場合にも入力映像信号のパターンを自動認識することができる。従って、適切な信号処理により生成された出力映像信号によってデジタル映像装置が映像を再生したり保存したりすることができる。【選択図】図１
2016515326.tif 000002
【特許請求の範囲】
【請求項１】
入力映像信号がデジタル映像信号であるのか、前記デジタル映像信号より低い周波数を有するアナログ映像信号であるのかを自動認識し、前記入力映像信号を処理する映像信号処理装置であって、
前記アナログ映像信号のみ通過させるフィルター部と、
前記デジタル映像信号を処理して第１の映像信号を生成し、前記第１の映像信号の生成の有無を示す第１のフラッグ信号を出力するデジタル映像処理部と、
前記入力映像信号を分岐して前記フィルター部および前記デジタル映像処理部に送信する分岐部と、
前記フィルター部を通過した前記アナログ映像信号を処理して第２の映像信号を生成し、該第２の映像信号の生成の有無を示す第２のフラッグ信号を出力するアナログ映像処理部と、
前記第１の映像信号または第２の映像信号のいずれか一方を選択して出力する映像信号選択出力部と、
前記第１のフラッグ信号および前記第２のフラッグ信号に基づいて、前記第１の映像信号または前記第２の映像信号のいずれか一方を選択するように前記映像信号選択出力部を制御する制御部と
を備える映像信号処理装置。
【請求項２】
前記アナログ映像処理部は、前記アナログ映像信号をＡＤ変換することにより前記第２の映像信号を生成するＡＤ変換部を有することを特徴とする請求項１に記載の映像信号処理装置。
【請求項３】
前記デジタル映像信号は、ＳＤＩ信号を有することを特徴とする請求項１に記載の映像信号処理装置。
【請求項４】
前記ＳＤＩ信号は、ＨＤ‐ＳＤＩ信号および３Ｇ‐ＳＤＩ信号のいずれか一方を有することを特徴とする請求項３に記載の映像信号処理装置。
【請求項５】
前記制御部は、前記第１のフラッグ信号が前記第１の映像信号が生成されることを示す場合、前記第１の映像信号を選択して出力するように前記映像信号選択出力部を制御し、前記第２のフラッグ信号が前記第２の映像信号が生成されることを示す場合、前記第２の映像信号を選択して出力するよう前記映像信号選択出力部を制御することを特徴とする請求項１に記載の映像信号処理装置。
【請求項６】
前記第１の映像信号または前記第２の映像信号のいずれか一方を受信するディスプレイ部をさらに有することを特徴とする請求項１に記載の映像信号処理装置。
【請求項７】
前記ディスプレイ部は、ディスプレイモニターを有することを特徴とする請求項６に記載の映像信号処理装置。
【請求項８】
前記ディスプレイ部は、ＬＣＤパネルを有することを特徴とする請求項６に記載の映像信号処理装置。
【請求項９】
前記第１の映像信号および前記第２の映像信号を受信して、前記第１の映像信号および前記第２の映像信号のそれぞれに含まれる映像データを保存する映像保存部を更に有することを特徴とする請求項１に記載の映像信号処理装置。
【請求項１０】
前記映像保存部は、ＤＶＲを有することを特徴とする請求項９に記載の映像信号処理装置。
【請求項１１】
入力映像信号がデジタル映像信号であるのか、前記デジタル映像信号より低い周波数を有するアナログ映像信号であるのかを自動認識し、前記入力映像信号を処理する映像信号処理方法であって、
（ａ）前記入力映像信号を分岐する段階と、
（ｂ）前記（ａ）段階で分岐された前記入力映像信号がデジタル映像信号である場合は前記入力映像信号を遮断し、前記（ａ）段階で分岐された前記入力映像信号がアナログ映像信号である場合は前記入力映像信号を通過させる段階と、
（ｃ）前記（ｂ）段階で前記入力映像信号が遮断されたら、前記入力映像信号をデジタル映像処理部に入力して第１の映像信号および前記第１の映像信号が生成されることを示す第１のフラッグ信号を生成させ、前記（ｂ）段階で前記入力映像信号が通過したら、前記入力映像信号をアナログ映像処理部に入力して第２の映像信号および前記第２の映像信号が生成されることを示す第２のフラッグ信号を生成させる段階と、
（ｄ）前記第１のフラッグ信号および前記第２のフラッグ信号に基づいて前記第１の映像信号または前記第２の映像信号のいずれか一方を出力する段階と、
を有することを特徴とする映像信号処理方法。
【請求項１２】
前記アナログ映像処理部は、前記アナログ映像信号をＡＤ変換して前記第２の映像信号を生成することを特徴とする請求項１１に記載の映像信号処理方法。
【請求項１３】
前記デジタル映像信号は、ＳＤＩ信号を有することを特徴とする請求項１１に記載の映像信号処理方法。
【請求項１４】
前記ＳＤＩ信号は、ＨＤ‐ＳＤＩ信号または３Ｇ‐ＳＤＩ信号のいずれか一方を有することを特徴とする請求項１３に記載の映像信号処理方法。
【請求項１５】
前記（ｄ）段階は、前記第１のフラッグ信号が前記第１の映像信号が生成されることを示す場合、前記第１の映像信号を出力し、前記第２のフラッグ信号が前記第２の映像信号が生成されることを示す場合、前記第２の映像信号を出力する段階を有することを特徴とする請求項１１に記載の映像信号処理方法。
【請求項１６】
前記（ｄ）段階は、前記第１の映像信号または前記第２の映像信号のいずれか一方をディスプレイ部に出力する段階を有することを特徴とする請求項１１に記載の映像信号処理方法。
【請求項１７】
前記ディスプレイ部は、ディスプレイモニターを有することを特徴とする請求項１６に記載の映像信号処理方法。
【請求項１８】
前記ディスプレイ部は、ＬＣＤパネルを有することを特徴とする請求項１６に記載の映像信号処理方法。
【請求項１９】
前記（ｄ）段階は、前記第１の映像信号または前記第２の映像信号を映像保存部に出力する段階を有することを特徴とする請求項１１に記載の映像信号処理方法。
【請求項２０】
前記映像保存部は、ＤＶＲを有することを特徴とする請求項１９に記載の映像信号処理方法。
【発明の詳細な説明】
【技術分野】
【０００１】
本発明は、映像信号処理装置およびその方法に関するものであり、特に入力映像信号がアナログ映像信号であるのか、デジタル映像信号であるのかを自動認識し、前記入力映像信号を処理する映像信号処理装置およびその方法に関するものである。
【背景技術】
【０００２】
近年、地上波アナログ放送の終了に伴い、映像信号およびディスプレイ装置が全般的にアナログ方式からデジタル方式に転換されつつある。ところが、アナログ方式のビデオカメラのようにアナログ映像信号を生成する装置が未だ使われている。
【０００３】
従って、受信されたアナログ映像信号をデジタル方式のディスプレイ装置、または保存装置が認識できるデジタル映像信号に変換する装置およびその方法に対する需要が存在する。
【０００４】
また、受信された映像信号がアナログ信号であるのか、デジタル信号であるのか把握できない場合もある。従って、入力信号がアナログ信号であるのか、デジタル信号であるのかを自動認識し、適切に処理できる装置およびその方法が必要とされる。
【発明の概要】
【発明が解決しようとする課題】
【０００５】
前記問題点を解決するために、本発明は、入力映像信号がアナログ映像信号であるのか、デジタル映像信号であるのかを自動認識し、入力映像信号を処理する映像信号処理装置およびその方法を提供することをその目的とする。
【課題を解決するための手段】
【０００６】
本発明の一態様によれば、入力映像信号がデジタル映像信号であるのか、前記デジタル映像信号より低い周波数を有するアナログ映像信号であるのかを自動認識し、前記入力映像信号を処理する映像信号処理装置であって、前記アナログ映像信号のみ通過させるフィルター部と、前記デジタル映像信号を処理して第１の映像信号を生成し、前記第１の映像信号の生成の有無を示す第１のフラッグ信号を出力するデジタル映像処理部と、前記入力映像信号を分岐し、前記フィルター部および前記デジタル映像処理部に送信する分岐部と、前記フィルター部を通過した前記アナログ映像信号を処理して第２の映像信号を生成し、前記第２の映像信号の生成の有無を示す第２のフラッグ信号を出力するアナログ映像処理部と、前記第１の映像信号または第２の映像信号のいずれか一方を選択して出力する映像信号選択出力部と、前記第１のフラッグ信号および前記第２のフラッグ信号に基づいて、前記第１の映像信号または前記第２の映像信号のいずれか一方を選択するように前記映像信号選択出力部を制御する制御部と、を有する映像信号処理装置が提供される。
【０００７】
前記アナログ映像処理部は、前記アナログ映像信号をアナログ‐デジタル変換して前記第２の映像信号を生成するＡＤ変換部を有することが望ましい。
【０００８】
前記デジタル映像信号は、ＳＤＩ（Ｓｅｒｉａｌ  Ｄｉｇｉｔａｌ  Ｉｎｔｅｒｆａｃｅ）信号を有することが望ましい。
【０００９】
前記ＳＤＩ信号は、ＨＤ‐ＳＤＩ信号および３Ｇ‐ＳＤＩ信号のいずれか一つを有することが望ましい。
【００１０】
前記制御部は、前記第１のフラッグ信号が前記第１の映像信号が生成されることを示す場合、前記第１の映像信号が出力されるよう前記映像信号選択出力部を制御し、前記第２のフラッグ信号が前記第２の映像信号が生成されることを示す場合、前記第２の映像信号が出力されるよう前記映像信号選択出力部を制御することが望ましい。
【００１１】
前記映像信号処理装置は、前記第１の映像信号または前記第２の映像信号のいずれか一方を受信するディスプレイ部をさらに有することが望ましい。
【００１２】
前記ディスプレイ部はディスプレイモニターを有することが望ましい。
【００１３】
前記ディスプレイ部は、ＬＣＤ（Ｌｉｑｕｉｄ  Ｃｒｙｓｔａｌ  Ｄｉｓｐｌａｙ）パネルを有することが望ましい。
【００１４】
前記映像信号処理装置は、前記第１の映像信号および前記第２の映像信号を受信し、前記第１の映像信号および前記第２の映像信号のそれぞれに含まれる映像データを保存する映像保存部を更に有することが望ましい。
【００１５】
前記映像保存部は、ＤＶＲ（Ｄｉｇｉｔａｌ  Ｖｉｄｅｏ  Ｒｅｃｏｒｄｅｒ）を有することが望ましい。
【００１６】
本発明の他の態様によれば、入力映像信号がデジタル映像信号であるのか、前記デジタル映像信号より低い周波数を有するアナログ映像信号であるのかを自動認識し、前記入力映像信号を処理する映像信号処理方法であって、（ａ）前記入力映像信号を分岐する段階と、（ｂ）前記（ａ）段階で分岐された前記入力映像信号がデジタル映像信号である場合は、前記入力映像信号を遮断し、前記（ａ）段階で分岐された前記入力映像信号がアナログ映像信号である場合は、前記入力映像信号を通過させる段階と、（ｃ）前記（ｂ）段階で前記入力映像信号が遮断された場合、前記入力映像信号をデジタル映像処理部に入力し、第１の映像信号および前記第１の映像信号が生成されたか否かを示す第１のフラッグ信号を生成し、前記（ｂ）段階で前記入力映像信号が通過された場合、前記入力映像信号をアナログ映像処理部に入力し、第２の映像信号および該第２の映像信号が生成されたか否かを示す第２のフラッグ信号を生成する段階と、（ｄ）前記第１のフラッグ信号および前記第２のフラッグ信号に基づいて、前記第１の映像信号または前記第２の映像信号のいずれか一方を選択して出力する段階と、を有する映像信号処理方法が提供される。
【００１７】
前記アナログ映像処理部は前記アナログ映像信号をＡＤ変換することにより前記第２の映像信号を生成することが望ましい。
【００１８】
前記デジタル映像信号は、ＳＤＩ信号を有することが望ましい。
【００１９】
前記ＳＤＩ信号は、ＨＤ‐ＳＤＩ信号または３Ｇ‐ＳＤＩ信号のいずれか一方を有することが望ましい。
【００２０】
前記（ｄ）段階は、前記第１のフラッグが前記第１の映像信号が生成されることを示す場合、前記第１の映像信号を出力し、前記第２のフラッグ信号が前記第２の映像信号が生成されることを示す場合、前記第２の映像信号を出力する段階を有することが望ましい。
【００２１】
前記（ｄ）段階は、前記第１の映像信号または前記第２の映像信号を選択してディスプレイ部に出力する段階を有することが望ましい。
【００２２】
前記ディスプレイ部は、ディスプレイモニターを有することが望ましい。
【００２３】
前記ディスプレイ部は、ＬＣＤパネルを有することが望ましい。
【００２４】
前記（ｄ）段階は、前記第１の映像信号または前記第２の映像信号を映像保存部に出力する段階を有することが望ましい。
【００２５】
前記映像保存部は、ＤＶＲを有することが望ましい。
【発明の効果】
【００２６】
本発明に係る映像信号処理装置およびその方法は、入力映像信号がアナログ映像信号であるのか、デジタル映像信号であるのかを自動認識し、入力映像信号を処理することができる。
【００２７】
従って、入力信号がアナログ信号であるのか、デジタル信号であるのか把握できない場合においても、適切な信号処理によりディスプレイ装置が映像を再生したり、映像保存装置が映像を保存したりすることができる。
【００２８】
また、一つの入力端子を介して、アナログ映像信号、またはデジタル映像信号が入力される場合においても、映像信号が自動認識され処理される。
【図面の簡単な説明】
【００２９】
【図１】本発明の実施形態に係る映像信号処理装置のブロック図である。
【図２】本発明の実施形態に係る映像信号処理方法を示すフローチャートである。
【発明を実施するための形態】
【００３０】
以下、図示した図面を参照し、本発明の実施形態に係る映像信号処理装置およびその方法を詳しく説明する。
【００３１】
図１は、本発明の実施形態に係る映像信号処理装置のブロック図である。
【００３２】
図１に示すように、本発明に係る映像信号処理装置は、分岐部１００、デジタル映像処理部１１０、フィルター部１２０、アナログ映像処理部１３０、制御部１４０および映像信号選択出力部１４５を有する。アナログ映像処理部１３０は、ＡＤ変換部１３５を有する。
【００３３】
本発明の実施形態に係る映像信号処理装置は、更に、ディスプレイ部１５０または映像保存部１６０のいずれか少なくとも一方を有することができる。ディスプレイ部１５０は、例えばスタンドアローン型のディスプレイモニター、或いはＬＣＤ(Ｌｉｑｕｉｄ  Ｃｒｙｓｔａｌ  Ｄｉｓｐｌａｙ)パネルである。映像保存部１６０は、例えばＤＶＲ(Ｄｉｇｉｔａｌ  Ｖｉｄｅｏ  Ｒｅｃｏｒｄｅｒ)である。
【００３４】
分岐部１００の入力端は、入力映像信号を受信する。入力映像信号は、デジタル映像信号やアナログ映像信号である。デジタル映像信号の周波数帯域は、アナログ映像信号の周波数帯域より高い。以下、デジタル映像信号およびアナログ映像信号の周波数帯域をそれぞれ、高周波帯域および低周波帯域と称する。
【００３５】
分岐部１００の出力端は、デジタル映像処理部１１０およびフィルター部１２０に連結される。分岐部１００は同軸ケーブルなどの映像信号伝送線を二本に分岐することにより構成される。
【００３６】
映像信号処理装置が外部から入力映像信号を受信した場合、分岐部１００は入力映像信号を分岐し、同じ二つの入力映像信号を生成する。次に、分岐部１００は二つの入力映像信号の各々をフィルター部１２０およびデジタル映像処理部１１０に送信する。
【００３７】
デジタル映像処理部１１０は、分岐部１００が伝送した入力映像信号を受信し、受信した入力映像信号に対しデジタル映像信号処理を行う。デジタル映像処理部１１０は、一つ以上の集積回路を含む。
【００３８】
入力映像信号がデジタル映像信号である場合、デジタル映像処理部１１０は分岐部１００から受信されたデジタル映像信号を処理して第１の映像信号を生成する。第１の映像信号が生成される際、デジタル映像処理部１１０は第１の映像信号が生成されることを示す信号(例えば、論理ｈｉｇｈ信号)を第１のフラッグ信号として出力する。
【００３９】
デジタル映像信号は、ＳＤＩ(Ｓｅｒｉａｌ  Ｄｉｇｉｔａｌ Ｉｎｔｅｒｆａｃｅ)信号、例えばＨＤ（Ｈｉｇｈ  Ｄｅｆｉｎｉｔｉｏｎ）‐ＳＤＩ信号、或いは３Ｇ‐ＳＤＩ信号である。
【００４０】
第１の映像信号は、ディスプレイ部１５０を駆動することができる。また、映像保存部１６０に保存可能な映像データを有することができる。デジタル映像信号がＳＤＩ信号である場合、デジタル映像処理部１１０はＳＤＩ信号をデシリアライズして第１の映像信号を生成することができる。
【００４１】
デジタル映像処理部１１０は、入力映像信号が低周波帯域である場合、入力映像信号を認識できないため、作動しない。従って、入力映像信号がアナログ信号である場合、デジタル映像処理部１１０が作動しないため、第１の映像信号は生成されない。第１の映像信号が生成されない場合、デジタル映像処理部１１０は第１の映像信号が生成されないことを示す信号(例えば、論理ｌｏｗ信号)を第１のフラッグ信号として出力する。
【００４２】
フィルター部１２０は、分岐部１００が伝送した入力映像信号が低周波帯域の信号である場合は、入力映像信号を通過させる。また、フィルター部１２０は、分岐部１００が伝送した入力映像信号が高周波帯域の信号である場合は、入力映像信号を遮断する。フィルター部１２０は、演算増幅器を有するローパスフィルターにより構成される。
【００４３】
入力映像信号が高周波のデジタル映像信号である場合、分岐部１００から受信された入力映像信号はフィルター部１２０により遮断され、アナログ映像処理部１３０に入力されない。
【００４４】
入力映像信号がアナログ映像信号である場合、分岐部１００から受信された入力映像信号はフィルター部１２０を通過してアナログ映像処理部１３０に入力される。
【００４５】
アナログ映像処理部１３０は、フィルター部１２０を通過したアナログ映像信号を処理する。具体的には、アナログ映像処理部１３０はアナログ映像信号をＡＤ(Ａｎａｌｏｇ  ｔｏ  Ｄｉｇｉｔａｌ)変換するＡＤ変換部１３５を有することができる。
【００４６】
アナログ映像処理部１３０は、フィルター部１２０から受信されたアナログ映像信号を処理して第２の映像信号を生成する。第２の映像信号が生成される際、アナログ映像処理部１３０は第２の映像信号が生成されることを示す信号(例えば、論理ｈｉｇｈ信号)を第２のフラッグ信号として出力する。
【００４７】
第２の映像信号はディスプレイ部１５０を駆動することができる。また、映像保存部１６０に保存可能な映像データを有することができる。上述した第１の映像信号に関する説明は、第２の映像信号にも同様に適用される。
【００４８】
入力映像信号がデジタル映像信号である場合、入力映像信号はフィルター部１２０により遮断されるため、第２の映像信号は生成されない。第２の映像信号が生成されない場合、アナログ映像処理部１３０は第２の映像信号が生成されないことを示す信号(例えば、論理ｌｏｗ信号)を第２のフラッグ信号として出力する。
【００４９】
制御部１４０は、デジタル映像処理部１１０、アナログ映像処理部１３０から第１のフラッグ信号、第２のフラッグ信号をそれぞれ受信する。
【００５０】
制御部１４０は、第１のフラッグ信号が第１の映像信号が生成されることを示す場合、第１の映像信号を選択して出力するように映像信号選択出力部１４５を制御する。また、制御部１４０は、第２のフラッグ信号が第２の映像信号が生成されることを示す場合、第２の映像信号を選択して出力するように映像信号選択出力部１４５を制御する。
【００５１】
入力映像信号はデジタル映像信号またはアナログ映像信号のいずれかである。即ち、入力映像信号がデジタル映像信号であると同時に、アナログ信号であることは有り得ない。従って、第１の映像信号および第２の映像信号が同時には生成されない。即ち、第１及び第２の映像信号のうち一方が生成されたら、他方の映像信号は生成されない。従って、第１の映像信号が生成されることを示す第１のフラッグ信号と、第２の映像信号が生成されることを示す第２のフラッグ信号とは同時に生成され得ない。
【００５２】
映像信号選択出力部１４５は、デジタル映像処理部１１０、またはアナログ映像処理部１３０の出力信号、即ち、第１の映像信号、または第２の映像信号を受信する。映像信号選択出力部１４５の出力信号は、ディスプレイ部１５０、または映像保存部１６０に出力される。
【００５３】
制御部１４０の制御に応じて、映像信号選択出力部１４５は、デジタル映像処理部１１０が第１の映像信号を生成する場合は第１の映像信号を出力し、アナログ映像処理部１３０が第２の映像信号を生成する場合は第２の映像信号を出力する。
【００５４】
ディスプレイ部１５０は、第１の映像信号、または第２の映像信号を受信して映像を出力する。
【００５５】
映像保存部１６０は第１の映像信号、または第２の映像信号に含まれる映像・データを保存する。
【００５６】
図２は、本発明の実施形態に係る映像信号処理方法を図示したフローチャートである。以下、図２を参照し、本発明の実施形態に係る映像信号処理方法を詳しく説明する。
【００５７】
本発明の実施形態に係る映像信号処理方法は、デジタル映像処理部およびアナログ映像処理部を有する映像信号処理装置により実行される。
【００５８】
まず、映像処理装置が入力映像信号を受信すると、入力映像信号は互いに同等な二つの入力映像信号に分岐される(Ｓ１００)。
【００５９】
Ｓ１００段階で分岐された入力映像信号がデジタル映像信号である場合、入力映像信号は遮断され、Ｓ１００段階で分岐された入力映像信号がアナログ映像信号である場合、入力映像信号は通過される(Ｓ１１０)。デジタル映像信号は、ＳＤＩ信号、例えばＨＤ‐ＳＤＩ信号、或いは３Ｇ‐ＳＤＩ信号である。
【００６０】
Ｓ１１０段階で入力映像信号が遮断された場合(Ｓ１２０，ＹＥＳ)、入力映像信号はデジタル映像処理部に入力される。入力映像信号がデジタル映像処理部に入力されると、デジタル映像処理部は入力映像信号を処理して第１の映像信号を生成し、第１の映像信号が生成されることを示す信号を第１のフラッグ信号として出力する(Ｓ１３０)。
【００６１】
Ｓ１１０段階で入力映像信号が通過したら(Ｓ１２０でＮＯ)、入力映像信号はアナログ映像処理部に入力される。入力映像信号がアナログ映像処理部に入力されたら、アナログ映像処理部は信号処理を遂行して第２の映像信号を生成し、第２の映像信号が生成されることを示す信号を第２のフラッグ信号として出力する(Ｓ１４０)。
【００６２】
ここで「第１の映像信号」、「第２の映像信号」、「第１のフラッグ信号」および「第２のフラッグ信号」という映像信号処理装置に関する説明は上述した通りであり、上述した記載を援用して説明を省略する。
【００６３】
Ｓ１４０段階において、アナログ映像処理部はアナログ映像信号をＡＤ変換して第２の映像信号を生成することができる。
【００６４】
入力映像信号は、デジタル映像信号またはアナログ映像信号のいずれかである。即ち、入力映像信号がデジタル映像信号であると同時に、アナログ映像信号であることは有り得ない。従って、Ｓ１３０段階およびＳ１４０段階のいずれか一方のみが実行される。そのため、第１の映像信号または第２の映像信号のいずれか一方のみが生成される。
【００６５】
次に、第１のフラッグ信号が第１の映像信号が生成されることを示す場合、第１の映像信号が出力され、第２のフラッグ信号が第２の映像信号が生成されることを示す場合、第２の映像信号が出力される(Ｓ１５０)。
【００６６】
Ｓ１５０段階において、第１の映像信号、または第２の映像信号はディスプレイ部で出力される。ディスプレイ部は、例えばディスプレイモニター、或いはＬＣＤパネルである。
【００６７】
Ｓ１５０段階において、第１の映像信号、または第２の映像信号は映像保存部に出力される。映像保存部は、例えばＤＶＲである。
【産業上の利用可能性】
【００６８】
本発明に係る映像信号処理装置およびその方法は、入力映像信号がアナログ映像信号であるのか、デジタル映像信号であるのかを自動認識し、入力映像信号を処理することができる。
【００６９】
従って、入力信号がアナログ信号であるのか、デジタル信号であるのか把握できない場合にも、適切な信号処理によりディスプレイ装置が映像を再生したり、映像保存装置が映像データを保存したりすることができる。
【００７０】
また、一つの入力端子を介してアナログ映像信号、またはデジタル映像信号が入力される場合であっても映像信号が自動認識されて処理される。
【図１】
2016515326.tif 000003
【図２】
2016515326.tif 000004
【国際調査報告】
2016515326.tif 000005
2016515326.tif 000006